(57)【要約】【課題】２枚の放射線検出器により検出された放射線画像情報を加算して、十分な鮮鋭度及び適切なコントラストからなる加算画像を得ることのできる放射線画像処理装置及び処理方法を提供する。【解決手段】本発明は、放射線画像処理装置及び処理方法に関するものであり、被写体を透過した放射線を検出する第１放射線検出器（２４）と、前記第１放射線検出器を透過した前記放射線を検出する第２放射線検出器（２８）と、前記第１放射線検出器により検出された第１放射線画像情報、又は、前記第２放射線画像検出器により検出された第２放射線画像情報の少なくとも一方に対して、所定の階調処理を施す階調処理部（７０）と、少なくとも一方が階調処理された前記第１放射線画像情報及び前記第２放射線画像情報を、所定の加算比率で加算処理する加算処理部（７４）とを備えて構成される。【選択図】図１
2010081997.tif 000002
【特許請求の範囲】
【請求項１】
被写体を透過した放射線を検出する第１放射線検出器と、
前記第１放射線検出器を透過した前記放射線を検出する第２放射線検出器と、
前記第１放射線検出器により検出された第１放射線画像情報、又は、前記第２放射線画像検出器により検出された第２放射線画像情報の少なくとも一方に対して、所定の階調処理を施す階調処理部と、
少なくとも一方が階調処理された前記第１放射線画像情報及び前記第２放射線画像情報を、所定の加算比率で加算処理する加算処理部と、
を備えることを特徴とする放射線画像処理装置。
【請求項２】
請求項１記載の装置において、
前記階調処理部は、前記第１放射線画像情報及び前記第２放射線画像情報間のコントラストの差を小さくする階調処理を施すことを特徴とする放射線画像処理装置。
【請求項３】
請求項１記載の装置において、
前記加算処理部は、前記第１放射線検出器及び前記第２放射線検出器のＭＴＦに基づく前記加算比率で加算処理することを特徴とする放射線画像処理装置。
【請求項４】
請求項１記載の装置において、
前記加算処理部は、前記第１放射線検出器又は前記第２放射線検出器により検出された前記第１放射線画像情報又は前記第２放射線画像情報を領域分割し、各領域に含まれる空間周波数情報に基づいて変わる前記加算比率で加算処理することを特徴とする放射線画像処理装置。
【請求項５】
請求項１記載の装置において、
前記加算処理部は、前記被写体の撮影部位に応じて変わる前記加算比率で加算処理することを特徴とする放射線画像処理装置。
【請求項６】
請求項１記載の装置において、
前記加算処理部は、前記第１放射線検出器及び前記第２放射線検出器のトータルのＮＥＱ（雑音等価量子数）が最大となる前記加算比率で加算処理することを特徴とする放射線画像処理装置。
【請求項７】
請求項１記載の装置において、
前記第１放射線画像情報及び前記第２放射線画像情報を用いたサブトラクション処理を行うサブトラクション処理部を備えることを特徴とする放射線画像処理装置。
【請求項８】
被写体を透過した放射線を第１放射線検出器により検出し、第１放射線画像情報を得るステップと、
前記第１放射線検出器を透過した前記放射線を第２放射線検出器により検出し、第２放射線画像情報を得るステップと、
前記第１放射線画像情報、又は、前記第２放射線画像情報の少なくとも一方に対して、所定の階調処理を施すステップと、
少なくとも一方が階調処理された前記第１放射線画像情報及び前記第２放射線画像情報を、所定の加算比率で加算処理するステップと、
を有することを特徴とする放射線画像処理方法。
【請求項９】
請求項８記載の方法において、
前記階調処理は、前記第１放射線画像情報及び前記第２放射線画像情報間のコントラストの差を小さくする処理であることを特徴とする放射線画像処理方法。
【請求項１０】
請求項８記載の方法において、
前記加算処理は、前記第１放射線検出器及び前記第２放射線検出器のＭＴＦに基づく前記加算比率で加算する処理であることを特徴とする放射線画像処理方法。
【請求項１１】
請求項８記載の方法において、
前記加算処理は、前記第１放射線検出器又は前記第２放射線検出器により検出された前記第１放射線画像情報又は前記第２放射線画像情報を領域分割し、各領域に含まれる空間周波数情報に基づいて変わる前記加算比率で加算する処理であることを特徴とする放射線画像処理方法。
【請求項１２】
請求項８記載の方法において、
前記加算処理は、前記被写体の撮影部位に応じて変わる前記加算比率で加算する処理であることを特徴とする放射線画像処理方法。
【請求項１３】
請求項８記載の方法において、
前記加算処理は、前記第１放射線検出器及び前記第２放射線検出器のトータルのＮＥＱ（雑音等価量子数）が最大となる前記加算比率で加算する処理であることを特徴とする放射線画像処理方法。
【発明の詳細な説明】
【技術分野】
【０００１】
本発明は、被写体を透過して第１放射線検出器により検出された第１放射線画像情報と、第１放射線検出器を透過して第２放射線検出器により検出された第２放射線画像情報とを加算して、所望の放射線画像情報を得る放射線画像処理装置及び処理方法に関するものである。
【背景技術】
【０００２】
例えば、医療分野においては、放射線源から放射線を被写体（患者）に照射し、被写体を透過した放射線を放射線検出器に導いて放射線画像情報に変換した後、所望の画像処理を施す放射線画像処理装置が広汎に使用されている。処理された放射線画像情報は、表示装置を用いて表示することで診断等に利用される。
【０００３】
なお、放射線検出器には、放射線を電荷情報に変換して蓄積し、電気信号として読み出すことのできる固体検出器や、放射線エネルギを蛍光体に蓄積し、レーザビーム等の励起光を照射することで、蓄積された放射線エネルギに応じて輝尽発光する蓄積性蛍光体パネル等がある。
【０００４】
このような放射線画像処理装置を用いて、被写体の関心領域、例えば、肋骨の下部に配置される心臓や肺等の軟部組織を抽出する方法が実用化されている。この方法は、肋骨等の骨部と心臓等の軟部組織とで放射線の吸収特性が異なることを利用し、被写体に対してエネルギ分布の異なる放射線を二度照射することで、撮影条件の異なる２組の放射線画像情報を取得し、これらの放射線画像情報の差分を所定の重み付けをして求めることにより、骨部又は軟部組織を抽出するものであり、エネルギサブトラクション処理と称されている。
【０００５】
しかしながら、被写体に対して放射線を二度照射して放射線画像情報を取得する方法では、二度の放射線の照射の間に、被写体や心臓等の組織が動いてしまうと、モーションアーチファクトが生じるため、適切な画像を形成できなくなってしまう。
【０００６】
そこで、この問題を解消するため、特許文献１に開示された従来技術では、２枚の放射線検出器を放射線の一部を吸収する放射線吸収フィルタを介して積層し、放射線の一度の照射で各放射線検出器により放射線画像情報を検出した後、各放射線画像情報の差分を求めるようにしている。この場合、放射線のエネルギの一部が１枚目の放射線検出器及び放射線吸収フィルタによって吸収されるため、エネルギレベルの異なる放射線が各放射線検出器に同時に照射されることになる。この結果、モーションアーチファクトが生じることのないサブトラクション画像を得ることができる。
【０００７】
なお、同様の従来技術として、放射線吸収フィルタを介することなく、２枚の半導体を重ね合わせて放射線検出器を構成し、この放射線検出器に対して放射線を一度だけ照射することで２組の放射線画像情報を得るようにしたものがある（特許文献２、３）。
【０００８】
一方、特許文献４に開示された従来技術では、フィルタを介して２枚の蓄積性蛍光体パネルを重ね合わせて構成し、各蓄積性蛍光体パネルから得た放射線画像情報からサブトラクション画像を生成する際、１枚目の蓄積性蛍光体パネルによる放射線の散乱の影響により、２枚目の蓄積性蛍光体パネルから得られた放射線画像情報の高周波成分が劣化することに鑑み、２組の放射線画像情報のＭＴＦの差を無くすように補正している。
【０００９】
なお、特許文献５に開示された従来技術では、２枚の放射線検出プレート間に配設されるフィルタにグリッド機能を持たせることにより、１枚目の放射線検出プレートによる散乱の影響を回避するようにしている。
【００１０】
【特許文献１】特開２００１−１３３５５４号公報
【特許文献２】特開平５−３３３６号公報
【特許文献３】特開平７−８４０５６号公報
【特許文献４】特開平３−１０９６７８号公報
【特許文献５】特開昭６３−２２１２７７号公報
【発明の開示】
【発明が解決しようとする課題】
【００１１】
ところで、このような放射線画像処理装置では、サブトラクション画像を生成する一方で、専用の装置を用いることなく、サブトラクション処理を行わない通常の透過放射線画像を得ることも行われる。この場合、例えば、被写体、１枚目の放射線検出器及び放射線吸収フィルタによって放射線の低エネルギ成分が吸収されるため、２枚目の放射線検出器によって検出される放射線画像情報のコントラストがビームハードニングにより低下してしまう。従って、各放射線検出器によって検出された放射線画像情報を単純に加算しただけでは、適切な画像を得ることができない。そのため、通常は、１枚目の放射線検出器によって検出された放射線画像情報のみを使用して放射線透過画像を生成しており、１枚目の放射線検出器により検出された放射線画像情報は、そのまま捨てている。
【００１２】
本発明は、２枚の放射線検出器により検出された放射線画像情報を加算して、十分な鮮鋭度及び適切なコントラストからなる加算画像を得ることのできる放射線画像処理装置及び処理方法を提供することを目的とする。
【課題を解決するための手段】
【００１３】
本発明に係る放射線画像処理装置は、被写体を透過した放射線を検出する第１放射線検出器と、
前記第１放射線検出器を透過した前記放射線を検出する第２放射線検出器と、
前記第１放射線検出器により検出された第１放射線画像情報、又は、前記第２放射線画像検出器により検出された第２放射線画像情報の少なくとも一方に対して、所定の階調処理を施す階調処理部と、
少なくとも一方が階調処理された前記第１放射線画像情報及び前記第２放射線画像情報を、所定の加算比率で加算処理する加算処理部と、
を備えることを特徴とする。
【００１４】
また、本発明に係る放射線画像処理方法は、被写体を透過した放射線を第１放射線検出器により検出し、第１放射線画像情報を得るステップと、
前記第１放射線検出器を透過した前記放射線を第２放射線検出器により検出し、第２放射線画像情報を得るステップと、
前記第１放射線画像情報、又は、前記第２放射線画像情報の少なくとも一方に対して、所定の階調処理を施すステップと、
少なくとも一方が階調処理された前記第１放射線画像情報及び前記第２放射線画像情報を、所定の加算比率で加算処理するステップと、
を有することを特徴とする。
【発明の効果】
【００１５】
本発明によれば、２枚の放射線検出器により検出された放射線画像情報の少なくとも一方に対して階調処理を施し、これらの放射線画像情報を所定の加算比率で加算処理することにより、２組の放射線画像情報を有効に利用して、十分な鮮鋭度を有するとともに、適切なコントラストからなる加算画像を得ることができる。
【発明を実施するための最良の形態】
【００１６】
図１は、本実施形態の放射線画像処理装置１０の構成ブロック図である。
【００１７】
放射線画像処理装置１０は、被写体１２に放射線Ｘを照射する放射線源１４と、設定された管電圧、管電流、照射時間等の撮影条件に基づいて放射線源１４を制御する放射線源制御部１６と、撮影条件を設定する撮影条件設定部１８と、被写体１２を透過した放射線Ｘを電荷情報である放射線画像情報として検出する放射線検出部２０と、放射線検出部２０によって検出された放射線画像情報に対してサブトラクション処理及び加算処理を含む画像処理を施す画像処理部２２とを備える。
【００１８】
放射線検出部２０は、被写体１２側に配設され、被写体１２を透過した放射線Ｘを電荷情報として検出する固体検出器である第１放射線検出器２４と、第１放射線検出器２４を透過した放射線Ｘの一部を吸収するＸ線吸収フィルタ２６と、Ｘ線吸収フィルタ２６を透過した放射線Ｘを電荷情報として検出する固体検出器である第２放射線検出器２８とを積層して構成される。なお、Ｘ線吸収フィルタ２６としては、例えば、アルミニウム、銅、タンタル等を用いることができる。
【００１９】
図２は、第１放射線検出器２４及び第２放射線検出器２８の回路構成ブロック図である。第１放射線検出器２４及び第２放射線検出器２８は、センサ基板４０と、ゲート線駆動回路４４と、信号読出回路４６と、ゲート線駆動回路４４及び信号読出回路４６を制御するタイミング制御回路４８とを備える。
【００２０】
センサ基板４０は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量５３に蓄積した後、各行毎にＴＦＴ５２を順次オンにして、電荷を画像信号として読み出す。図２では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。各画素５０に接続されるＴＦＴ５２には、行方向と平行に延びるゲート線５４と、列方向と平行に延びる信号線５６とが接続される。各ゲート線５４は、ゲート線駆動回路４４に接続され、各信号線５６は、信号読出回路４６に接続される。
【００２１】
画像処理部２２は、第１放射線検出器２４により検出した第１放射線画像情報を読み取る第１画像情報読取部６０と、第２放射線検出器２８により検出した第２放射線画像情報を読み取る第２画像情報読取部６２と、第１放射線画像情報、第２放射線画像情報及びサブトラクション係数記憶部６４に記憶されたサブトラクション係数を用いて、サブトラクション処理を行うサブトラクション処理部６６と、階調補正データ記憶部６８に記憶された階調補正データを用いて、第２放射線画像情報に対する階調処理を行う階調処理部７０と、第１放射線画像情報、階調処理された第２放射線画像情報及び加算比率記憶部７２に記憶された加算比率を用いて、加算処理を行う加算処理部７４と、サブトラクション処理されたサブトラクション画像及び加算処理された加算画像を表示する表示部７６とを備える。
【００２２】
本実施形態の放射線画像処理装置１０は、基本的には以上のように構成されるものであり、次に、その動作について説明する。
【００２３】
オペレータは、撮影条件設定部１８を用いて、放射線源１４に対する管電圧、管電流、放射線Ｘの照射時間、ターゲットの種類等の撮影条件を放射線源制御部１６に設定する。放射線源制御部１６は、設定された撮影条件に従って放射線源１４を制御し、被写体１２に放射線Ｘを照射する。
【００２４】
放射線源１４から出力された放射線Ｘは、被写体１２を透過した後、第１放射線検出器２４に照射される。第１放射線検出器２４は、照射された放射線Ｘを各画素５０の光電変換層５１によって電気信号に変換した後、蓄積容量５３に電荷情報として蓄積する。次いで、各蓄積容量５３に蓄積された電荷情報は、タイミング制御回路４８からゲート線駆動回路４４及び信号読出回路４６に供給されるタイミング制御信号に従い、センサ基板４０から読み出される。
【００２５】
すなわち、ゲート線駆動回路４４は、タイミング制御回路４８からのタイミング制御信号に従ってゲート線５４の１つを選択し、選択されたゲート線５４に接続されている各ＴＦＴ５２のベースに駆動信号を供給する。一方、信号読出回路４６は、タイミング制御回路４８からのタイミング制御信号に従い、信号線５６を行方向に順次切り替えながら選択する。選択されたゲート線５４及び信号線５６に対応する画素５０の蓄積容量５３に蓄積された電荷情報は、画像処理部２２に供給される。行方向に配列された各画素５０から電荷情報が読み出された後、ゲート線駆動回路４４は、列方向の次のゲート線５４を選択して駆動信号を供給し、信号読出回路４６は、選択されたゲート線５４に接続されたＴＦＴ５２から同様にして電荷情報を読み出す。以上の動作を繰り返すことにより、第１放射線検出器２４によって検出された電荷情報が、被写体１２の第１放射線画像情報として画像処理部２２の第１画像情報読取部６０により読み取られる。
【００２６】
一方、第１放射線検出器２４を透過した放射線Ｘは、Ｘ線吸収フィルタ２６によって一部が吸収された後、第２放射線検出器２８に照射される。第２放射線検出器２８は、第１放射線検出器２４と同様にして、被写体１２の放射線画像情報を第２放射線画像情報として検出する。第２放射線画像情報は、画像処理部２２の第２画像情報読取部６２によって読み取られる。
【００２７】
次に、第１画像情報読取部６０及び第２画像情報読取部６２によって読み取られた第１放射線画像情報及び第２放射線画像情報を用いて、サブトラクション処理部６６においてサブトラクション画像を生成する場合について説明する。
【００２８】
図３の実線は、放射線源１４から出力される放射線Ｘのエネルギスペクトルの一例を示す。また、図３の点線は、第１放射線検出器２４及びＸ線吸収フィルタ２６を透過して第２放射線検出器２８に到達する放射線Ｘのエネルギスペクトルを示す。第２放射線検出器２８に到達する放射線Ｘは、第１放射線検出器２４及びＸ線吸収フィルタ２６を透過することにより、高エネルギ側にシフトした放射線Ｘとなる。
【００２９】
従って、例えば、放射線Ｘをより多く吸収する被写体１２の骨部組織等の情報は、主に第１放射線検出器２４により第１放射線画像情報として取得され、放射線Ｘを殆ど吸収しない被写体１２の軟部組織等の情報は、主に第２放射線検出器２８により第２放射線画像情報として取得されることになる。従って、第１放射線画像情報及び第２放射線画像情報を用いることにより、骨部組織と軟部組織とを分離した放射線画像情報を得ることができる。
【００３０】
そこで、サブトラクション処理部６６は、第１放射線画像情報をＳ１、第２放射線画像情報をＳ２、所望のサブトラクション画像情報をＳとしたとき、サブトラクション係数記憶部６４に記憶されているサブトラクション係数ｋ１、ｋ２、ｋ３を用いて、サブトラクション画像情報Ｓを、
Ｓ＝ｋ１・Ｓ１＋ｋ２・Ｓ２＋ｋ３
として算出する。算出されたサブトラクション画像情報Ｓは、表示部７６に表示され、読影診断に供せられる。
【００３１】
なお、サブトラクション係数ｋ１、ｋ２、ｋ３は、所望のサブトラクション画像情報Ｓが骨部組織であるのか、軟部組織であるのか、あるいは、画像のコントラストや濃度に応じて、適切な値を選択して設定することができる。
【００３２】
次に、第１放射線画像情報及び第２放射線画像情報を用いて、加算処理部７４において加算画像を生成する場合について説明する。
【００３３】
第２放射線検出器２８によって検出された第２放射線画像情報は、図３に示すように、１枚目の第１放射線検出器２４及びＸ線吸収フィルタ２６によって放射線Ｘの低エネルギ成分が吸収されているため、ビームハードニングによるコントラストの低下が生じる。第１放射線画像情報に対して、コントラストの低い第２放射線画像情報が加算されると、加算後の放射線画像情報のコントラストも低下してしまう。
【００３４】
そこで、階調処理部７０は、第１放射線画像情報のコントラストと第２放射線画像情報のコントラストとの差をなくすため、第２放射線画像情報に対してコントラストを高める階調処理を施す。図４は、階調補正データ記憶部６８に記憶されている階調補正データの説明図である。実線で示す階調補正データは、補正前の第２放射線画像情報である階調補正前ＱＬ値を、補正後の第２放射線画像情報である階調補正後ＱＬ値に補正するデータである。点線は、補正を行わない場合のデータを示している。階調処理部７０は、この階調補正データを用いて第２放射線画像情報に階調処理を施す。この結果、第２放射線画像情報は、第１放射線画像情報と同等のコントラストからなる第２放射線画像情報に変換される。
【００３５】
なお、階調処理部７０による階調処理は、第１放射線画像情報及び第２放射線画像情報の双方に対して行うことで、コントラストの差をなくすようにしてもよい。
【００３６】
第１放射線画像情報と、階調処理された第２放射線画像情報とは、加算処理部７４に供給され、加算比率記憶部７２に記憶された加算比率を用いて加算処理される。
【００３７】
この場合、第２放射線検出器２８によって検出された第２放射線画像情報は、第１放射線検出器２４及びＸ線吸収フィルタ２６による放射線Ｘの散乱の影響により、空間周波数の高周波成分が劣化するため、その範囲の画像にボケが生じてしまう。一方、空間周波数の低周波成分は、劣化が少ない。図５の実線は、第１放射線検出器２４のＭＴＦ特性を示し、点線は、第２放射線検出器２８のＭＴＦ特性を示す。なお、第１放射線検出器２４及び第２放射線検出器２８のＭＴＦ特性は、例えば、「エッジ法」を用いて予め測定することができる。
【００３８】
ＭＴＦ特性の異なる２組の放射線画像情報をそのまま加算してしまうと、空間周波数の低い画像については劣化が少なく、むしろ加算することでＳ／Ｎが高くなり、画像の粒状性が改善されるが、空間周波数の高い画像については、ボケが増幅されてしまう。
【００３９】
そこで、加算処理部７４は、空間周波数の高周波域における第１放射線検出器２４及び第２放射線検出器２８のＭＴＦ特性の差異に応じて設定した加算比率を加算比率記憶部７２から読み出し、第１放射線画像情報及び第２放射線画像情報の加算処理を行う。この場合、第１放射線画像情報をＳ１、階調処理された第２放射線画像情報をＳ２、第１放射線画像情報及び第２放射線画像情報の加算比率をｗ１、ｗ２（ｗ１＋ｗ２＝１、ｗ１＞ｗ２）とすると、所望の加算画像情報Ｓは、
Ｓ＝ｗ１・Ｓ１＋ｗ２・Ｓ２
として算出される。算出された加算画像情報Ｓは、表示部７６に表示され、読影診断に供せられる。
【００４０】
このようにして加算画像情報を求めることにより、空間周波数の低い画像に対しては、第１放射線画像情報及び第２画像情報とが加算されることで、Ｓ／Ｎの高い良好な画像が得られ、また、空間周波数の高い画像に対しては、ボケが大きく増幅されることのない良好な画像が得られる。
【００４１】
なお、加算比率ｗ１、ｗ２は、図１の点線で示すように、撮影条件設定部１８において設定される被写体１２の撮影部位に係る撮影情報に従って設定するようにしてもよい。例えば、撮影部位が骨部組織を中心とする胸部の場合、画像の空間周波数が高いため、ｗ１＞＞ｗ２となるように設定し、撮影部位が軟部組織を中心とする腹部の場合、画像の空間周波数が低いため、ｗ１≒ｗ２となるように設定することができる。
【００４２】
また、図６に示すように、画像処理部２２を構成する空間周波数算出部７８により、第１放射線画像情報の空間周波数を算出し、算出された空間周波数に基づき、加算比率記憶部７２から所定の加算比率ｗ１、ｗ２を選択して加算処理を行うようにしてもよい。なお、第２放射線画像情報の空間周波数に基づいて加算比率ｗ１、ｗ２を設定してもよい。この場合、図７に示すように、第１放射線画像情報又は第２放射線画像情報の空間周波数に応じた加算比率ｗ２を加算比率記憶部７２にテーブルとして記憶させておき、このテーブルを参照して加算比率ｗ１、ｗ２を設定することができる。
【００４３】
さらに、被写体１２の第１放射線画像情報又は第２放射線画像情報を複数の領域に分割し、空間周波数算出部７８により各領域毎に空間周波数を算出し、各領域毎に加算比率ｗ１、ｗ２を設定するようにしてもよい。領域毎に加算比率ｗ１、ｗ２を設定することにより、広がりのある空間周波数からなる第１放射線画像情報又は第２放射線画像情報に対して、最適な加算比率ｗ１、ｗ２に基づく加算画像を生成することができる。
【００４４】
なお、加算比率ｗ１、ｗ２は、第１放射線検出器２４及び第２放射線検出器２８のトータルの雑音等価量子数（ＮＥＱ：Noise  Equivalent  Quanta）が最大となる比率に設定すると好適である。ＮＥＱは、（信号出力／ノイズ出力）2として表される物理量である。信号出力が放射線画像情報のＭＴＦに比例する値で、ノイズ出力がノイズの分散スペクトルであるウイナースペクトル（ＷＳ）であるから、
ＮＥＱ∝（ＭＴＦ／ＷＳ）2
と表すことができる。従って、放射線画像情報の空間周波数が低周波数であれば、（ＭＴＦの劣化＜ＷＳの良化）の関係となり、空間周波数が高周波数であれば、（ＭＴＦの劣化＞ＷＳの良化）の関係となるため、ＮＥＱが最大となるように加算比率ｗ１、ｗ２を設定することにより、ノイズの少ない良好な加算画像を生成することができる。
【００４５】
なお、本発明は、上述した実施形態に限定されるものではなく、本発明の主旨を逸脱しない範囲で自由に変更できることは勿論である。
【００４６】
例えば、照射された放射線Ｘを直接電荷情報に変換する第１放射線検出器２４及び第２放射線検出器２８に代えて、シンチレータによって放射線Ｘを一旦可視光に変換し、その可視光を電荷情報に変換する構成からなる放射線検出器を利用することもできる。また、放射線Ｘを静電潜像として蓄積した後、読取光を照射することで電荷情報として読み出す光読出方式の放射線検出器を利用することもできる。さらに、放射線エネルギを蛍光体に蓄積し、レーザビーム等の励起光を照射することで、蓄積された放射線エネルギに応じて輝尽発光する蓄積性蛍光体パネルを利用することもできる。
【図面の簡単な説明】
【００４７】
【図１】本実施形態に係る放射線画像処理装置の構成ブロック図である。
【図２】放射線画像処理装置に使用される放射線検出器の回路構成ブロック図である。
【図３】放射線のエネルギスペクトルの特性説明図である。
【図４】放射線画像処理装置の階調補正データ記憶部に記憶される階調補正データの説明図である。
【図５】放射線検出器のＭＴＦ特性の説明図である。
【図６】他の実施形態に係る放射線画像処理装置の構成ブロック図である。
【図７】放射線画像処理装置の加算比率記憶部に記憶される加算比率のテーブルの説明図である。
【符号の説明】
【００４８】
１０…放射線画像処理装置
１２…被写体
１４…放射線源
１６…放射線源制御部
１８…撮影条件設定部
２０…放射線検出部
２２…画像処理部
２４…第１放射線検出器
２６…Ｘ線吸収フィルタ
２８…第２放射線検出器
６０…第１画像情報読取部
６２…第２画像情報読取部
６４…サブトラクション係数記憶部
６６…サブトラクション処理部
６８…階調補正データ記憶部
７０…階調処理部
７２…加算比率記憶部
７４…加算処理部
７６…表示部
７８…空間周波数算出部
【図１】
2010081997.tif 000003
【図２】
2010081997.tif 000004
【図３】
2010081997.tif 000005
【図４】
2010081997.tif 000006
【図５】
2010081997.tif 000007
【図６】
2010081997.tif 000008
【図７】
2010081997.tif 000009